(57)【要約】【課題】  きわめて構成が簡易な遠近両用の焦点調整機構を提供する。【解決手段】  入射面３ａと出射面３ｂとが所定の傾斜角度をなし薄肉部３１から厚肉部３２へと肉厚が変化する一枚の光学素材からなる焦点調整板３を、レンズ２と撮像素子５の間に配設し、焦点調整板３の薄肉部３１を透過した撮影光を遠距離撮影光として撮像素子５に入射させる一方、焦点調整板３の厚肉部３２を透過した撮影光を近距離撮影光として撮像素子５に入射させる。【選択図】  図１
2005292544.tif 000002
【特許請求の範囲】
【請求項１】
入射面と出射面とが所定の傾斜角度をなす傾斜部を少なくとも備え一枚の光学素材からなる焦点調整板を、レンズと撮像素子との間に配設し、前記焦点調整板の前記傾斜部において、薄肉部を透過した撮影光を近距離撮影光として前記撮像素子に入射させる一方、厚肉部を透過した撮影光を遠距離撮影光として前記撮像素子に入射させることを特徴とする焦点調整機構。
【請求項２】
前記焦点調整板は、前記入射面と前記出射面とを平行に形成した平行部をさらに備え、前記焦点調整板を移動させることにより前記傾斜部もしくは前記平行部のいずれか一方に撮影光を透過させることを特徴とする請求項１に記載の焦点調整機構。
【発明の詳細な説明】
【技術分野】
【０００１】
本発明は、例えば、デジタルカメラのレンズ群に組み込まれる遠近両用の焦点調整機構に関する。
【背景技術】
【０００２】
デジタルカメラ等で、画面の下半分に近くの人物を撮像し、上半分に背景となる遠方の景色を撮像する場合、いわゆるあおり補正により焦点を補正する技術がある。撮像装置を備えたカメラバックによりあおり補正を行う場合、従来では、通常、カメラボディとカメラバックの連結部にあおり機構を設けていた。
【０００３】
しかし、このような構成では、カメラが大型化するため、カメラバック内にあおり機構を設けるようにした提案が開示されている（例えば、特許文献１参照）。この場合、カメラボディに対して着脱自在なカメラバック内に撮像素子を内装した撮像装置を備え、前記撮像素子の中心が撮影光軸と一致した状態にて、撮像素子の撮像面を光軸に直交する軸を中心に傾動させる傾動機構を含むあおり機構を内装している。
【特許文献１】特開平９−３３１４７６号公報
【発明の開示】
【発明が解決しようとする課題】
【０００４】
ところで、近時は、ニーズの多様化に伴い、より一層簡易な構成であおり補正を実現できる斬新な発想が求められている。即ち、撮像素子をカメラボディ内に備えた一体型のデジタルカメラでもこのようなあおり補正を実現できることが望まれるようになった。しかし、このようなデジタルカメラには、スペースに制約があるため、上述の従来例のあおり機構をそのまま適用することはできない。
【０００５】
本発明は、このような実情に鑑みてなされ、きわめて簡易な構成の遠近両用の焦点調整機構を提供することを目的とする。
【課題を解決するための手段】
【０００６】
本発明に係る焦点調整機構は、入射面と出射面とが所定の傾斜角度をなす傾斜部を少なくとも備え一枚の光学素材からなる焦点調整板を、レンズと撮像素子との間に配設し、前記焦点調整板の前記傾斜部において、薄肉部を透過した撮影光を近距離撮影光として前記撮像素子に入射させる一方、厚肉部を透過した撮影光を遠距離撮影光として前記撮像素子に入射させるようにしている。
【０００７】
このような構成によれば、レンズと撮像素子との間に配設した焦点調整板の薄肉部を透過した撮影光が近距離撮影光として撮像素子に入射され、厚肉部を透過した撮影光が遠距離撮影光として前記撮像素子に入射されるため、撮像画面の上半分では背景などの遠方の景色を鮮明に撮影し、下半分では近くの人物を鮮明に撮影することができ、遠近両方の焦点補正（あおり補正）が可能となる。
【０００８】
また、好ましくは、前記焦点調整板は、前記入射面と前記出射面とを平行に形成した平行部をさらに備え、前記焦点調整板を移動させることにより前記傾斜部もしくは前記平行部のいずれか一方に撮影光を透過させるようにしてもよい。
【０００９】
このような構成によれば、焦点調整板の傾斜部に撮影光を透過させることにより、前記したようなあおり補正が可能になるとともに、焦点調整板の平行部に撮影光を透過させることにより、あおり補正を行わない撮影にも対応することができる。
【発明の効果】
【００１０】
本発明に係る焦点調整機構は、入射面と出射面とが所定の傾斜角度をなし薄肉部から厚肉部へと肉厚が変化する一枚の光学素材からなる焦点調整板を、レンズと撮像素子との間に配設し、焦点調整板の薄肉部を透過した撮影光を近距離撮影光として撮像素子に入射させる一方、焦点調整板の厚肉部を透過した撮影光を遠距離撮影光として撮像素子に入射させるので、撮像画面の上半分では遠方の景色を鮮明に撮影し、下半分では近くの人物を鮮明に撮影することができる。
【発明を実施するための最良の形態】
【００１１】
以下に、本発明の最良の実施の形態に係る焦点調整機構について図面を参照しつつ詳細に説明する。
【００１２】
図１は、焦点調整機構の構成を示し、符号１は絞り、２はレンズ、３は焦点調整板、４は赤外線カットフィルター、５はＣＣＤ又はＣＭＯＳ等の撮像素子である。その焦点調整板３は、入射面３ａと出射面３ｂとが所定の傾斜角度Ｒ１をなす一枚の光学素材からなり、その入射面３ａ又は出射面３ｂの何れか一方（図示の例では出射面３ｂ）を光軸方向に略直交させて、この焦点調整板３をレンズ２と撮像素子５との間に配設しており、その撮像素子５は光軸方向に直交させるように立設している。
【００１３】
このような構成によれば、レンズ２と撮像素子５との間に配設した焦点調整板３の薄肉部３１を透過した撮影光が近距離撮影光６として撮像素子５に入射され、厚肉部３２を透過した撮影光が遠距離撮影光７として撮像素子５に入射されるため、例えば、図２に示すように、撮像画面の上半分では遠方の景色を鮮明に撮影し、下半分では近くの人物を鮮明に撮影することができ、遠近両方の焦点の調整が可能となる。
【００１４】
以上のように、一枚の焦点調整板３をレンズ２と撮像素子５との間に配設したきわめて簡易な構成により、遠近両方の焦点補正（あおり補正）が可能となるので、デジタルカメラをコンパクトに形成することができ、かつ、安価に提供することができる。
【００１５】
なお、本発明は、前記実施形態に限定することなく、特許請求の範囲に記載した技術的事項の範囲内において種々変更することができる。
【００１６】
例えば、図示しないが、上述したような焦点調整板３において、入射面３ａと出射面３ｂとが平行となる部分をさらに設け、この平行部分に撮影光を透過させることにより、前記したようなあおり補正を行わない撮影にも対応することができる。
【００１７】
また、焦点調整板３は、入射面３ａと出射面３ｂとが所定の傾斜角度Ｒ１をなすものであれば、あらゆる形状のものが考えられ、また、入射面３ａもしくは出射面３ｂは、撮影光６ｃに対して略直交である必要はなく、どのような角度に配置してもよい。
【産業上の利用可能性】
【００１８】
本発明にかかる焦点調整機構は、入射面と出射面とが所定の傾斜角度をなし薄肉部から厚肉部へと肉厚が変化する一枚の光学素材からなる焦点調整板をレンズと撮像素子との間に配設し、その焦点調整板の薄肉部を透過した撮影光を近距離撮影光として撮像素子に入射させ、厚肉部を透過した撮影光を遠距離撮影光として撮像素子に入射させることにより、遠近両方の焦点の補正（あおり補正）を行うので、光学系をきわめてコンパクトに構成することができるため、特に、デジタルカメラ等に有用である。
【００１９】
本発明にかかる焦点調整機構は、入射面と出射面とが所定の傾斜角度をなし薄肉部から厚肉部へと肉厚が変化する一枚の光学素材からなる焦点調整板をレンズと撮像素子との間に配設し、その焦点調整板の薄肉部を透過した撮影光を近距離撮影光として撮像素子に入射させ、厚肉部を透過した撮影光を遠距離撮影光として撮像素子に入射させることにより、遠近両方の焦点の補正（あおり補正）を行うので、光学系をきわめてコンパクトに構成することが要求される小型カメラ等の技術分野に広く適用できる。
【図面の簡単な説明】
【００２０】
【図１】本発明の一実施形態に係る焦点調整機構の構成説明図
【図２】同遠近両用の撮像画面の説明図
【符号の説明】
【００２１】
２  レンズ
３  焦点調整板
３ａ  入射面
３ｂ  出射面
３１  薄肉部
３２  厚肉部
５  撮像素子
６  近距離撮影光
７  遠距離撮影光
【図１】
2005292544.tif 000003
【図２】
2005292544.tif 000004